(57)【要約】【課題】効率的にコンテンツを選択することができる。【解決手段】コンテンツ選択装置は、視ること及び聴くことの少なくとも一方が可能なように出力手段１４０から出力されるコンテンツを順次切り替えて選択する。コンテンツ選択装置は、複数のコンテンツからコンテンツを選択する選択部１６０と、所定のコンテンツが載る非出力リストを記憶する非出力リスト記憶部１８０と、選択されたコンテンツが非出力リストに載っているか否かを判定する判定部１５０と、載っていないと判定された場合には、選択されたコンテンツを出力手段１４０から出力させる制御を行い、載っていると判定された場合には、選択されたコンテンツを出力手段１４０から出力させない制御を行う出力制御部１３０とを有する。【選択図】図１
2010062653.tif 000002
【特許請求の範囲】
【請求項１】
視ること及び聴くことの少なくとも一方が可能なように出力手段から出力されるコンテンツを選択するコンテンツ選択装置であって、
複数のコンテンツからコンテンツを順次切り替えて選択する選択部と、
所定のコンテンツが載る非出力リストを記憶する非出力リスト記憶部と、
前記選択されたコンテンツが前記非出力リストに載っているか否かを判定する判定部と、
載っていないと判定された場合には、前記選択されたコンテンツを前記出力手段から出力させる制御を行い、載っていると判定された場合には、前記選択されたコンテンツを前記出力手段から出力させない制御を行う出力制御部と、
を有するコンテンツ選択装置。
【請求項２】
前記非出力リストを編集する非出力リスト編集部をさらに有する、
請求項１記載のコンテンツ選択装置。
【請求項３】
前記出力制御部は、前記判定部が載っていると判定した場合に、前記選択されたコンテンツが前記非出力リストに載っていることを報知する情報を前記出力手段から出力させる制御を行う、
請求項１記載のコンテンツ選択装置。
【請求項４】
ユーザにより操作される編集操作部をさらに有し、
前記判定部が載っていると判定した場合において、前記編集操作部に前記非出力リストから前記選択されたコンテンツを削除するための操作がなされたとき、前記非出力リスト編集部は、前記選択されたコンテンツを前記非出力リストから削除する、
請求項２記載のコンテンツ選択装置。
【請求項５】
前記選択されたコンテンツを前記出力手段が出力していた時間が、所定の時間よりも短いとき、
前記非出力リスト編集部は、この選択されたコンテンツを前記非出力リストに追加する、
請求項２記載のコンテンツ選択装置。
【請求項６】
前記選択部は、一定時間毎にコンテンツを選択する、
請求項１記載のコンテンツ選択装置。
【請求項７】
所定の条件に基づいて少なくとも１つのコンテンツを選択し、この選択されたコンテンツの選択リストを作成する選択リスト作成部をさらに有し、
前記選択部は、前記選択リストからコンテンツを選択する、
請求項１記載のコンテンツ選択装置。
【請求項８】
前記選択リスト作成部は、前記非出力リストに基づいてコンテンツを選択する、
請求項７記載のコンテンツ選択装置。
【請求項９】
前記選択リスト作成部は、前記出力手段がコンテンツを出力しているとき、この出力されているコンテンツに関連するコンテンツを選択する、
請求項７記載のコンテンツ選択装置。
【請求項１０】
前記選択リスト作成部は、前記出力手段がコンテンツを出力しているとき、この出力されているコンテンツが分類されているジャンルに基づいてコンテンツを選択する、
請求項７記載のコンテンツ選択装置。
【請求項１１】
ユーザにより操作される２種類の操作が可能な選択操作部をさらに有し、
前記選択リストに含まれるコンテンツには、番号がそれぞれ付され、
前記選択操作部に一方の種類の操作がなされたときには、前記選択部はより大きな番号が付されたコンテンツを選択し、
前記選択操作部に他方の種類の操作がなされたときには、前記選択部はより小さな番号が付されたコンテンツを選択する、
請求項７記載のコンテンツ選択装置。
【請求項１２】
表示手段にて映像が表示されるテレビ番組を選択する番組選択装置であって、
複数のテレビ番組からテレビ番組を順次切り替えて選択する選択部と、
前記選択されたテレビ番組が所定の条件を満たすものであるか否かを判定する判定部と、
前記所定の条件を満たすものでないと判定された場合には、前記選択されたテレビ番組の映像を前記表示手段にて表示させる制御を行い、前記所定の条件を満たすものであると判定された場合には、前記選択されたテレビ番組の映像を前記表示手段にて表示させない制御を行う表示制御部と、
を有する番組選択装置。
【請求項１３】
所定のテレビ番組が載る非表示リストを記憶する非表示リスト記憶部をさらに有し、
前記判定部は、前記選択されたテレビ番組が前記非表示リストに載っているか否かを判定し、
前記表示制御部は、載っていないと判定された場合には、前記選択されたテレビ番組の映像を前記表示手段にて表示させる制御を行い、載っていると判定された場合には、前記選択されたテレビ番組の映像を前記表示手段にて表示させない制御を行う、
請求項１２記載の番組選択装置。
【請求項１４】
前記非表示リストを編集する非表示リスト編集部をさらに有する、
請求項１３記載の番組選択装置。
【請求項１５】
前記非表示リスト編集部は、前記選択されたテレビ番組が分類されているジャンルと同一のジャンルに分類されるテレビ番組を前記非表示リストに追加する、
請求項１４記載の番組選択装置。
【請求項１６】
前記非表示リスト編集部は、所定のジャンルに分類されるテレビ番組が前記非表示リストに載らないように前記非表示リストを編集する、
請求項１４記載の番組選択装置。
【請求項１７】
テレビ番組の映像を録画する録画手段をさらに有し、
前記非表示リスト編集部は、前記録画手段が録画するテレビ番組を前記非表示リストに追加する、
請求項１４記載の番組選択装置。
【請求項１８】
ユーザにより操作される編集操作部をさらに有し、
前記表示手段がテレビ番組の映像を表示している場合において、前記編集操作部が操作されたとき、前記非表示リスト編集部は、映像が表示されているこのテレビ番組を前記非表示リストに追加する、
請求項１４記載の番組選択装置。
【請求項１９】
前記編集操作部は、押下されるボタンを含んでいる、
請求項１８記載の番組選択装置。
【請求項２０】
前記編集操作部は、振られるリモートコントローラを含んでいる、
請求項１８記載の番組選択装置。
【請求項２１】
ユーザにより操作される選択操作部をさらに有し、
前記選択部は、前記選択操作部が操作されたときにテレビ番組を選択する、
請求項１２記載の番組選択装置。
【請求項２２】
前記選択操作部は、押下されるボタンを含んでいる、
請求項２１記載の番組選択装置。
【請求項２３】
前記選択操作部は、振られるリモートコントローラを含んでいる、
請求項２１記載の番組選択装置。
【請求項２４】
表示手段にて映像を表示可能なテレビ番組が、複数のチャンネルにて放送され、放送されるチャンネルを選択するチャンネル選択装置であって、
複数のチャンネルからチャンネルを順次切り替えて選択する選択部と、
前記選択されたチャンネルが所定の条件を満たすものであるか否かを判定する判定部と、
前記所定の条件を満たすものでないと判定された場合には、前記選択されたチャンネルにて放送される映像を前記表示手段にて表示させる制御を行い、前記所定の条件を満たすものであると判定された場合には、前記選択されたチャンネルにて放送される映像を前記表示手段にて表示させない制御を行う表示制御部と、
を有するチャンネル選択装置。
【請求項２５】
ユーザにより操作される２種類の操作が可能な選択操作部をさらに有し、
前記選択部が選択する対象とする複数のチャンネルには、チャンネル番号がそれぞれ付されており、
前記選択操作部に一方の種類の操作がなされたときには、前記選択部はより大きなチャンネル番号が付されたチャンネルを選択し、
前記選択操作部に他方の種類の操作がなされたときには、前記選択部はより小さなチャンネル番号が付されたチャンネルを選択する、
請求項２４記載のチャンネル選択装置。
【請求項２６】
前記選択操作部は、押下される２つのボタンを含んでいる、
請求項２５記載のチャンネル選択装置。
【請求項２７】
前記選択操作部は、２方向に振られるリモートコントローラを含んでいる、
請求項２５記載のチャンネル選択装置。
【請求項２８】
所定のチャンネルが載る非表示リストを記憶する非表示リスト記憶部をさらに有し、
前記判定部は、前記選択されたチャンネルが前記非表示リストに載っているか否かを判定し、
前記表示制御部は、載っていないと判定された場合には、前記選択されたチャンネルにて放送される映像を前記表示手段にて表示させる制御を行い、載っていると判定された場合には、前記選択されたチャンネルにて放送される映像を前記表示手段にて表示させない制御を行う、
請求項２４記載のチャンネル選択装置。
【請求項２９】
前記選択部が選択する対象とする複数のチャンネルには、チャンネル番号がそれぞれ付されており、
前記表示制御部は、前記選択部が選択する対象とする複数のチャンネルのチャンネル番号と、前記表示手段にて表示されている映像が放送されているチャンネルのチャンネル番号と、前記非表示リストに載っているチャンネルのチャンネル番号との少なくとも１つを前記表示手段にて表示させる制御を行う、
請求項２８記載のチャンネル選択装置。
【請求項３０】
前記非表示リストを編集する非表示リスト編集部をさらに有する、
請求項２８記載のチャンネル選択装置。
【請求項３１】
前記非表示リスト編集部は、前記非表示リストから所定のチャンネルを予め決められた時刻に削除する、
請求項３０記載のチャンネル選択装置。
【請求項３２】
視ること及び聴くことの少なくとも一方が可能なように出力手段から出力されるコンテンツを選択するコンテンツ選択方法であって、
複数のコンテンツからコンテンツを順次切り替えて選択する選択工程と、
前記選択されたコンテンツが、予め用意された非出力リストに載っているか否かを判定する判定工程と、
前記判定工程にて載っていないと判定された場合に、前記選択されたコンテンツを前記出力手段から出力させる出力工程と、を有し、
前記判定工程にて載っていると判定された場合に、再び選択工程を行う、
コンテンツ選択方法。
【請求項３３】
前記非出力リストを編集する非出力リスト編集工程をさらに有する、
請求項３２記載のコンテンツ選択方法。
【発明の詳細な説明】
【技術分野】
【０００１】
本発明は、コンテンツ選択装置、番組選択装置、チャンネル選択装置及びコンテンツ選択方法に関する。
【背景技術】
【０００２】
近年、多数のコンテンツから所望のコンテンツを選択するための技術が要望されている。多チャンネルテレビ放送では、極めて多数の番組が放送されている。多チャンネルテレビ放送に対応した視聴器には、効率的に番組を選択する機能が必要とされている。
【０００３】
特許文献１には、２つの番組の映像と複数の番組の静止画像とを同時に１つの画面に表示する番組表示装置が開示されている。視聴者はこれらの映像及び静止画像を確認して、所望の番組を選択する。複数の番組の映像及び静止画像を同時に表示するために、２つのチューナが用いられている。
【特許文献１】特開２００５−３９５１２号公報
【発明の開示】
【発明が解決しようとする課題】
【０００４】
しかしながら、上記番組表示装置には複数のチューナが必要であるので、１つのチューナを有する一般的な視聴器と比較して上記番組表示装置は高価である。
【０００５】
上記番組表示装置は複数の番組の映像及び静止画像を同時に表示するために、映像及び静止画像は縮小される。このため、映像及び静止画像を確認することが困難であるので、効率的に番組を選択することができない。
【０００６】
表示される複数の映像及び静止画像には、所望しないものが多数含まれる場合がある。これらは所望する番組の映像及び静止画像とともに同時に表示されるので、所望しない映像及び静止画像を全て確認する必要がある。このため、効率的に番組を選択することができない。
【０００７】
本発明は、かかる点に鑑みてなされたものであり、効率的にコンテンツを選択することができるコンテンツ選択装置、効率的に番組を選択することができる番組選択装置、効率的にチャンネルを選択することができるチャンネル選択装置、及び効率的にコンテンツを選択することができるコンテンツ選択方法を提供することを目的とする。
【課題を解決するための手段】
【０００８】
本発明のコンテンツ選択装置は、視ること及び聴くことの少なくとも一方が可能なように出力手段から出力されるコンテンツを選択するコンテンツ選択装置であって、複数のコンテンツからコンテンツを順次切り替えて選択する選択部と、所定のコンテンツが載る非出力リストを記憶する非出力リスト記憶部と、前記選択されたコンテンツが前記非出力リストに載っているか否かを判定する判定部と、載っていないと判定された場合には、前記選択されたコンテンツを前記出力手段から出力させる制御を行い、載っていると判定された場合には、前記選択されたコンテンツを前記出力手段から出力させない制御を行う出力制御部と、を有する、構成を採る。
【０００９】
本発明の番組選択装置は、表示手段にて映像が表示されるテレビ番組を選択する番組選択装置であって、複数のテレビ番組からテレビ番組を順次切り替えて選択する選択部と、前記選択されたテレビ番組が所定の条件を満たすものであるか否かを判定する判定部と、前記所定の条件を満たすものでないと判定された場合には、前記選択されたテレビ番組の映像を前記表示手段にて表示させる制御を行い、前記所定の条件を満たすものであると判定された場合には、前記選択されたテレビ番組の映像を前記表示手段にて表示させない制御を行う表示制御部と、を有する、構成を採る。
【００１０】
本発明のチャンネル選択装置は、表示手段にて映像を表示可能なテレビ番組が、複数のチャンネルにて放送され、放送されるチャンネルを順次切り替えて選択するチャンネル選択装置であって、複数のチャンネルからチャンネルを選択する選択部と、前記選択されたチャンネルが所定の条件を満たすものであるか否かを判定する判定部と、前記所定の条件を満たすものでないと判定された場合には、前記選択されたチャンネルにて放送される映像を前記表示手段にて表示させる制御を行い、前記所定の条件を満たすものであると判定された場合には、前記選択されたチャンネルにて放送される映像を前記表示手段にて表示させない制御を行う表示制御部と、を有する、構成を採る。
【００１１】
本発明のコンテンツ選択方法は、視ること及び聴くことの少なくとも一方が可能なように出力手段から出力されるコンテンツを選択するコンテンツ選択方法であって、複数のコンテンツからコンテンツを順次切り替えて選択する選択工程と、前記選択されたコンテンツが、予め用意された非出力リストに載っているか否かを判定する判定工程と、前記判定工程にて載っていないと判定された場合に、前記選択されたコンテンツを前記出力手段から出力させる出力工程と、を有し、前記判定工程にて載っていると判定された場合に、再び選択工程を行う、構成を採る。
【発明の効果】
【００１２】
本発明によれば、効率的にコンテンツ、番組又はチャンネルを選択することができる。
【発明を実施するための最良の形態】
【００１３】
（実施の形態１）
図１には、本実施の形態１のコンテンツ選択装置が示されている。コンテンツ選択装置は、コンテンツ源１１０から取得される複数のコンテンツから、ユーザが所望するコンテンツを選択する。コンテンツ源１１０から取得されるコンテンツは、映像、画像及び音声の内の少なくとも１つを含む。コンテンツ源１１０は、テレビジョン放送局、ラジオ放送局、インターネットを介してコンテンツを配信する配信手段、及びコンテンツを記録する記録手段等を含むことができる。記録手段は、テレビ番組の映像を録画する録画装置等を含むことができる。
【００１４】
コンテンツ選択装置は、コンテンツ源１１０からコンテンツが入力される入力手段１２０と、コンテンツ選択装置が選択したコンテンツを視ること及び聴くことの少なくとも一方が可能なように出力する出力手段１４０とに接続されている。コンテンツ源１１０がテレビジョン放送局である場合には、入力手段１２０はテレビチューナを、出力手段１４０は液晶ディスプレイ又はプラズマディスプレイ等の映像を表示する表示手段を含んでいる。入力手段１２０は、コンテンツの出力を制御する出力制御部１３０を介して出力手段１４０に接続されている。
【００１５】
入力手段１２０には、入力手段１２０へ入力されたコンテンツから所定の条件に基づいて少なくとも１つのコンテンツを選択する選択リスト作成部１８１が接続されている。選択リスト作成部１８１は、この選択されたコンテンツの選択リストを作成する。コンテンツ源１１０がテレビ番組の映像を録画する録画装置である場合には、入力手段１２０は、録画された番組の映像のリストを取得する手段を含んでいる。選択リスト作成部１８１は取得された映像のリストから所定の映像を選択し、選択リストを作成する。選択リストは記憶部１８０に記憶される。図２（Ａ）には、選択リストの一例が示されている。示された選択リストには、コンテンツを特定するためのＩＤ番号、コンテンツ名が載っている。
【００１６】
記憶部１８０には、所定のコンテンツが載る非出力リストがさらに記憶される。記憶部１８０は、非出力リストを記憶する非出力リスト記憶部を含んでいる。非出力リストには、ユーザが所望しないコンテンツが載る。図２（Ｂ）には、非出力リストの一例が示されている。記憶部１８０には、非出力リストを編集する非出力リスト編集部１８２が接続されている。
【００１７】
記憶部１８０には、入力手段１２０へ入力される複数のコンテンツからコンテンツを選択する選択部１６０が接続されている。選択部１６０は、選択リストから所定のコンテンツを選択する。選択部１６０と記憶部１８０には、選択部１６０により選択されたコンテンツが非出力リストに載っているか否かを判定する判定部１５０が接続されている。判定部１５０の判定結果は出力制御部１３０に渡される。出力制御部１３０は、判定結果に基づいてコンテンツの出力を制御する。出力制御部１３０は、非出力リストに載っていないと判定された場合には、選択部１６０の選択を有効として、選択されたコンテンツを出力手段１４０から出力させる制御を行う。非出力リストに載っていると判定された場合には、選択部１６０の選択を無効として、選択されたコンテンツを出力手段１４０から出力させない制御を行う。
【００１８】
非出力リスト編集部１８２には、ユーザにより操作される操作部１７０が接続されている。操作部１７０に所定の操作がなされたとき、非出力リスト編集部１８２は非出力リストを編集する。本実施の形態１では、所定の操作（追加操作）がなされたとき、非出力リスト編集部１８２は非出力リストに所定のコンテンツを追加する。追加操作は、ユーザが所望しないコンテンツを非出力リストに追加するための操作である。操作部１７０は、ユーザにより追加操作がなされる編集操作部を含んでいる。
【００１９】
操作部１７０は選択部１６０にも接続されている。操作部１７０に別の操作（選択操作）がなされたとき、選択部１６０は所定のコンテンツを選択する。選択操作が行われる毎に、判定部１５０による判定と、出力制御部１３０によるコンテンツの出力制御とがなされる。ユーザは、所望しないコンテンツが出力手段１４０から出力された場合には、追加操作を行う。操作部１７０に、追加操作及び選択操作とは異なる別の操作（終了操作）がなされたとき、コンテンツ選択装置によるコンテンツの選択が終了する。追加操作、選択操作及び終了操作のために、操作部１７０には、押下される３つのボタンをそれぞれ設けることができる。
【００２０】
図３には、コンテンツ選択装置を使用してコンテンツを選択するコンテンツ選択方法の工程が示されている。先ず、選択リストと非出力リストを用意する（工程Ｓ１００）。本実施の形態１では図２（Ａ）及び図２（Ｂ）に示された選択リスト及び非出力リストをそれぞれ用意する。選択リスト作成部１８１に選択リストを作成させ、作成した選択リストを記憶部１８０に記憶させる。非出力リストは予め記憶部１８０に記憶されている。操作部１７０が選択操作を検知する（工程Ｓ１１０）と、選択部１６０が選択リストから所定のコンテンツを選択する（選択工程Ｓ１２０）。本実施の形態１では、最小のＩＤ番号０５０１が付されたコンテンツ（以下、「コンテンツＡ」という）を選択する。
【００２１】
選択後、判定部１５０が、選択されたコンテンツＡが非出力リストに載っているか否かを判定する（判定工程Ｓ１３０）。判定工程Ｓ１３０にて載っていないと判定された場合には、出力制御部１３０が、選択工程Ｓ１２０での選択を有効として、選択されたコンテンツＡを出力手段１４０から出力させる制御を行う（出力工程Ｓ１４０）。非出力リスト（図２（Ｂ）参照）にはコンテンツＡが載っていないので、コンテンツＡは出力手段１４０から出力される。判定工程Ｓ１３０にて載っていると判定された場合には、選択工程Ｓ１２０での選択を無効として、選択工程Ｓ１２０にて選択されたコンテンツを出力手段１４０から出力させない。この場合、再び選択部１６０が選択工程Ｓ１２０を行う。選択部１６０は、選択工程Ｓ１２０を行う度に選択リストから１つのコンテンツを選択する。その際、コンテンツはＩＤ番号順に選択される。選択部１６０は、ＩＤ番号０５０２が付されたコンテンツを選択する（図２（Ａ）参照）。
【００２２】
出力工程Ｓ１４０の後、操作部１７０が追加操作、選択操作及び終了操作のいずれかを検知する（工程Ｓ１５０）と、操作部１７０は、なされた操作に応じて次の工程を決定する。ユーザは出力手段１４０から出力されたコンテンツを確認して、いずれかの操作を行う。ユーザが、出力されたコンテンツを所望しない場合には、ユーザは追加操作を行う。操作部１７０が追加操作を検知すると、操作部１７０は検知結果を非出力リスト編集部１８２に渡す。非出力リスト編集部１８２は、ユーザが所望しないコンテンツ、即ち選択工程Ｓ１２０にて選択されたコンテンツを非出力リストに追加する（非出力リスト編集工程Ｓ１６０）。追加後、選択部１６０が再び選択工程Ｓ１２０を行う。ユーザが、出力されたコンテンツを所望する場合には、ユーザは選択操作を行う。操作部１７０が選択操作を検知すると、選択部１６０が再び選択工程Ｓ１２０を行う。操作部１７０が終了操作を検知すると、コンテンツ選択装置がコンテンツの選択を終了する。工程Ｓ１５０にて操作部１７０が選択操作を検知すると、選択工程Ｓ１２０にて、ＩＤ番号０５０２が付されたコンテンツを選択する。
【００２３】
工程Ｓ１５０にて終了操作が検知されるまで選択工程Ｓ１２０が繰り返される（１巡目）。選択工程Ｓ１２０が繰り返され、選択リストに載っている全てのコンテンツが選択された場合には、最小のＩＤ番号０５０１が付されたコンテンツＡが再び選択される。その後、コンテンツはＩＤ番号順に選択される（２巡目）。２巡目では、ユーザが所望しないコンテンツは出力手段１４０から出力されない。このため、ユーザは所望するコンテンツだけを確認することができるので、効率的にコンテンツを選択することができる。
【００２４】
２巡目にてコンテンツが選択される順番を変えてもよい。例えば、１巡目にて出力手段１４０から出力されていた時間が長い順に、２巡目でコンテンツを選択してもよい。出力工程Ｓ１４０と工程Ｓ１５０の間で、ユーザは出力手段１４０から出力されているコンテンツが所望するものであるか否か判断する。出力されている時間が長いと、その出力されているコンテンツがより所望されていることが期待される。出力されていた時間が長い順にコンテンツが選択されれば、所望されていることが期待される順にコンテンツが選択されることになる。
【００２５】
コンテンツ選択装置は、ユーザにより操作される２種類の操作が可能な選択操作部を有することができる。選択操作部に一方の種類の操作がなされたときには、選択部１６０はより大きな番号が付されたコンテンツを選択する。選択操作部に他方の種類の操作がなされたときには、選択部１６０はより小さな番号が付されたコンテンツを選択する。選択操作部を用いることにより、ユーザは、選択リストに載っているコンテンツを昇順又は降順で確認することができる。
【００２６】
本実施の形態では、操作部１７０が終了操作を検知すると、コンテンツ選択装置はコンテンツの選択を終了する。一定の時間、操作部１７０が追加操作、選択操作及び終了操作を検知しなかった場合に、コンテンツ選択装置はコンテンツの選択を終了してもよい。また、Ｎ順目（Ｎは予め決められた数）が終了したときに、コンテンツ選択装置はコンテンツの選択を終了してもよい。
【００２７】
本実施の形態では、ユーザが所望しないコンテンツを載せる非出力リストが記憶部１８０に記憶される構成を例にとって説明した。しかし、ユーザが所望するコンテンツを載せる出力リストが記憶部１８０に記憶される構成を採ることも可能である。
【００２８】
この場合、判定部１５０は、選択部１６０により選択されたコンテンツが出力リストに載っているか否かを判定する。判定結果は出力制御部１３０に渡される。出力制御部１３０は、出力リストに載っていると判定された場合には、選択部１６０の選択を有効として、選択されたコンテンツを出力手段１４０から出力させる制御を行う。出力リストに載っていないと判定された場合には、選択部１６０の選択を無効として、選択されたコンテンツを出力手段１４０から出力させない制御を行う。また、この場合、非出力リスト編集部１８２の代わりに出力リスト編集部（図示せず）が設けられる。出力リスト編集部は、ユーザにより除外操作（即ち、ユーザが所望しないコンテンツを出力リストから除外するための操作）が行われたときに、ユーザが所望しないコンテンツが出力リストから除外されるよう出力リストを編集する。
【００２９】
出力リストが記憶される場合、図３に示すコンテンツ選択方法の工程は以下のとおりとなる。先ず、工程Ｓ１００では、選択リストと出力リストを用意する。そして、工程Ｓ１２０では、判定部１５０が、選択されたコンテンツが出力リストに載っているか否かを判定する。判定の結果、出力リストに載っていると判定された場合には、出力制御部１３０が、上記選択を有効として、選択されたコンテンツを出力手段１４０から出力させる制御を行う。一方、判定の結果、出力リストに載っていないと判定された場合には、出力制御部１３０が、上記選択を無効として、選択されたコンテンツを出力手段１４０から出力させない。この場合、再び選択部１６０が選択リストから所定のコンテンツを選択する。
【００３０】
また、工程Ｓ１５０では、操作部１７０が除外操作、選択操作及び終了操作のいずれかを検知する。ユーザが、出力されたコンテンツを所望しない場合には、ユーザは除外操作を行う。操作部１７０が除外操作を検知すると、操作部１７０は検知結果を出力リスト編集部（図示せず）に渡す。出力リスト編集部は、ユーザが所望しないコンテンツ、即ち、選択されたコンテンツを出力リストから除外する。削除後、選択部１６０が再び選択リストから所定のコンテンツを選択する。
【００３１】
このように、非出力リストが記憶される場合及び出力リストが記憶される場合のいずれにおいても、実行される処理を適宜変更（例えば、非出力リストの場合は「追加」を実行し、出力リストの場合は「除外」を実行）することにより、同様にコンテンツ選択を実現することができる。下記の各実施の形態においても同様である。
【００３２】
（実施の形態２）
本実施の形態２のコンテンツ選択装置は、図１に示された実施の形態１のコンテンツ選択装置の構成部材と同様の構成部材を有する。本実施の形態２のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００３３】
図４には、本実施の形態２のコンテンツ選択方法の工程が示されている。本実施の形態２のコンテンツ選択方法は、実施の形態１のコンテンツ選択方法の選択工程Ｓ１２０とは異なる選択工程Ｓ２２０を有している。選択工程Ｓ２２０では、選択リストから任意のコンテンツを選択する。操作部１７０は、選択リストに載っている任意のコンテンツを選択可能なよう構成されている。例えば、操作部１７０にはテンキーを設けることができる。テンキーには、コンテンツを特定するためのＩＤ番号（図２（Ａ）参照）が入力される。
【００３４】
実施の形態１では、操作部１７０に追加操作がなされたときに、非出力リスト編集部１８２は非出力リストに所定のコンテンツを追加する。本実施の形態２では、操作部１７０には追加操作と、非出力リストから所定のコンテンツ（選択されたコンテンツ）を削除するための削除操作がなされる。削除操作は、選択リストに選択されたコンテンツが載っていると判定部１５０が判定した場合に行うことができる。
【００３５】
本実施の形態２のコンテンツ選択方法は、工程Ｓ２７０、工程Ｓ２７１及び工程Ｓ２７２をさらに有している。選択工程Ｓ２２０にてコンテンツを選択した後、判定工程Ｓ１３０にて選択されたコンテンツが非出力リストに載っていると判定された場合には、出力制御部１３０が、選択されたコンテンツが非出力リストに載っていることを報知する情報を出力手段１４０から出力させる制御を行う（工程Ｓ２７１）。例えば、「選択されたコンテンツは非出力リストに載っています。」なる文字画像を出力手段１４０から出力させる。本実施の形態２では、「選択されたコンテンツを出力する場合には削除操作を行って下さい。」なる文字画像を出力手段１４０からさらに出力させ、削除操作を促す。
【００３６】
工程Ｓ２７１での文字画像の出力後、操作部１７０が追加操作及び削除操作のいずれかを検知する（工程Ｓ２７０）と、操作部１７０は、なされた操作に応じて次の工程を決定する。ユーザは出力された文字画像を確認して、いずれかの操作を行う。ユーザが、選択工程Ｓ２２０にて選択されたコンテンツを非出力リストから削除することを所望する場合には、ユーザは削除操作を行う。操作部１７０が削除操作を検知すると、操作部１７０は検知結果を非出力リスト編集部１８２に渡す。非出力リスト編集部１８２は、選択されたコンテンツを非出力リストから削除する（非出力リスト編集工程Ｓ２７２）。削除後、出力工程Ｓ１４０を行う。ユーザが、選択されたコンテンツを非出力リストから削除することを所望しない場合には、ユーザは選択操作を行う。操作部１７０が選択操作を検知すると、選択部１６０が再び選択工程Ｓ２２０を行う。
【００３７】
本実施の形態２のコンテンツ選択方法は選択工程Ｓ２２０を有しているので、ユーザは、選択リストに載っているコンテンツを任意の順序で確認しながら、確認したコンテンツを非出力リストに追加することができる。また、本実施の形態２のコンテンツ選択方法は、工程Ｓ２７０、工程Ｓ２７１及び工程Ｓ２７２を有しているので、一度非出力リストに追加したコンテンツを非出力リストから削除することができる。これにより、ユーザが間違って追加したコンテンツを削除することができる。
【００３８】
（実施の形態３）
本実施の形態３のコンテンツ選択装置は、図１に示された実施の形態１のコンテンツ選択装置の構成部材と同様の構成部材を有する。本実施の形態３のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００３９】
図５には、本実施の形態３のコンテンツ選択方法の工程が示されている。本実施の形態３のコンテンツ選択方法は、工程Ｓ３８０、工程Ｓ３８１及び工程Ｓ３８２をさらに有している。本実施の形態３のコンテンツ選択装置の非出力リスト編集部１８２は、選択工程Ｓ１２０にて選択されたコンテンツを出力工程Ｓ１４０にて出力手段１４０が出力していた時間を計測するためのタイマーを有している。出力していた時間が短いと、ユーザがその出力していたコンテンツを所望していないことが期待される。出力工程Ｓ１４０の後、出力制御部１３０がタイマーをスタートさせる信号を非出力リスト編集部１８２に図示しない接続線で送る。非出力リスト編集部１８２は、この信号を受け取ると、タイマーをスタートさせる（工程Ｓ３８１）。
【００４０】
工程Ｓ３８１の後、工程Ｓ１５０にて操作部１７０が選択操作を検知すると、非出力リスト編集部１８２が、タイマーの時間が所定の時間を超過したか否かを判定する（工程Ｓ３８０）。超過していないと判定された場合には、非出力リスト編集部１８２が選択されたコンテンツを非出力リストに追加する（工程Ｓ３８２）。追加後、選択部１６０が再び選択工程Ｓ１２０を行う。超過していると判定された場合には、非出力リストに追加せずに、選択部１６０が再び選択工程Ｓ１２０を行う。
【００４１】
本実施の形態３のコンテンツ選択方法は、工程Ｓ３８０、工程Ｓ３８１及び工程Ｓ３８２を有しているので、出力していた時間に応じてコンテンツを非出力リストに追加することができる。このため、ユーザが所望しないコンテンツをより効率的に非出力リストに追加することができる。
【００４２】
（実施の形態４）
本実施の形態４のコンテンツ選択装置は、図１に示された実施の形態１のコンテンツ選択装置の構成部材と同様の構成部材を有する。本実施の形態４のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００４３】
図６には、本実施の形態４のコンテンツ選択方法の工程が示されている。本実施の形態４のコンテンツ選択方法は、工程Ｓ１５０の代わりに工程Ｓ４５１、工程Ｓ４５２及び工程Ｓ４５３を有している。本実施の形態４のコンテンツ選択装置の選択部１６０はタイマーを有しており、一定時間毎にコンテンツを選択する。このため、本実施の形態４では、操作部１７０は選択操作を検知しない。図１に示された、操作部１７０と選択部１６０を接続する接続線は、本実施の形態４では設けられない。本実施の形態４のコンテンツ選択方法は、タイマーをスタートさせる工程Ｓ４５４をさらに有している。出力工程Ｓ１４０の後、出力制御部１３０はタイマーをスタートさせる信号を選択部１６０に図示しない接続線で送る。選択部１６０は、この信号を受け取ると、タイマーをスタートさせる（工程Ｓ４５４）。
【００４４】
工程Ｓ４５４の後、操作部１７０が、追加操作が検知されたか否かを判定する（工程Ｓ４５１）。追加操作が検知されたと判定された場合には、非出力リスト編集工程Ｓ１６０を行い、選択工程Ｓ１２０を行う。追加操作が検知されなかったと判定された場合には、操作部１７０が、終了操作が検知されたか否かを判定する（工程Ｓ４５２）。終了操作が検知されたと判定された場合には、コンテンツ選択装置がコンテンツの選択を終了する。終了操作が検知されなかったと判定された場合には、選択部１６０が、タイマーの時間が所定の時間を超過したか否かを判定する（工程Ｓ４５３）。超過しなかったと判定された場合には、再び工程Ｓ４５１を行う。超過したと判定された場合には、選択工程Ｓ１２０を行う。
【００４５】
本実施の形態４のコンテンツ選択方法は工程Ｓ４５１、工程Ｓ４５２工程Ｓ４５３及び工程Ｓ４５４を有しているので、所定時間毎に出力されるコンテンツが自動的に切り替わる。ユーザは次々に切り替わるコンテンツを確認しながら追加操作を行うことができる。このため、所望のコンテンツを選択するための操作が少なくなる。即ち操作がより単純になる。
【００４６】
（実施の形態５）
本実施の形態５のコンテンツ選択装置は、図１に示された実施の形態１のコンテンツ選択装置の構成部材と同様の構成部材を有する。本実施の形態５のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００４７】
本実施の形態５では、選択リスト作成部１８１に選択リストを作成させる（工程Ｓ１００）際に、出力手段１４０から出力されているコンテンツが分類されているジャンルに基づいて選択リスト作成部１８１はコンテンツを選択する。本実施の形態５では、選択リスト作成部１８１は、出力されているコンテンツが分類されているジャンルと同一のジャンルに分類されるコンテンツを選択する。工程Ｓ１００の前には、ユーザが所望するコンテンツが出力手段１４０から出力されているものとする。例えば、仮の選択リストを用意し、図３に示された工程を行い、ユーザが所望するコンテンツが出力手段１４０から出力されたときにユーザが終了操作を行えば、ユーザが所望するコンテンツが出力される。
【００４８】
図７（Ａ）には、コンテンツ源１１０から取得することができるコンテンツの一例が示されている。各コンテンツには、そのコンテンツが分類されるジャンルを特定する情報が付されている。図７（Ｂ）には、工程Ｓ１００の前に出力されているコンテンツの一例が示されている。出力されているコンテンツはスポーツに分類されているので、選択リスト作成部１８１は図７（Ａ）に示されたコンテンツからスポーツに分類されているコンテンツを選択する。図７（Ｃ）には、このようにして作成された選択リストが示されている。
【００４９】
ユーザが、所望するコンテンツを出力手段１４０から出力させると、出力させたコンテンツが分類されているジャンルに基づいて選択リストが作成される。これにより、ユーザが所望することが期待されるコンテンツだけが選択リストに載ることになる。従って、所望のコンテンツを選択するために確認するコンテンツの数を減らすことができる。
【００５０】
（実施の形態６）
本実施の形態６のコンテンツ選択装置は、図１に示された実施の形態１のコンテンツ選択装置の構成部材と同様の構成部材を有する。本実施の形態６のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００５１】
本実施の形態６では、選択リスト作成部１８１に選択リストを作成させる（工程Ｓ１００）際に、選択リスト作成部１８１は、出力手段１４０から出力されているコンテンツに関連するコンテンツを選択する。実施の形態５と同様に、工程Ｓ１００の前には、ユーザが所望するコンテンツが出力手段１４０から出力されているものとする。
【００５２】
図８（Ａ）には、コンテンツ源１１０から取得することができるコンテンツの一例が示されている。各コンテンツには、そのコンテンツの特徴を表す情報であるタグが付されている。タグはそのコンテンツと他のコンテンツとを関連づけるキーワードである。図８（Ｂ）には、工程Ｓ１００の前に出力されているコンテンツの一例が示されている。本実施の形態６では、選択リスト作成部１８１は、出力されているコンテンツに付されているタグと同一のタグが２つ以上付されているコンテンツを図８（Ａ）に示されたコンテンツから選択する。従って、選択リスト作成部１８１は、ＩＤ番号０５０１，０５０２，０５０３が付されたコンテンツを選択する。図８（Ｃ）には、このようにして作成された選択リストが示されている。
【００５３】
ユーザが、所望するコンテンツを出力手段１４０から出力させると、出力させたコンテンツに関連するコンテンツが載っている選択リストが作成される。これにより、ユーザが所望することが期待されるコンテンツだけが選択リストに載ることになる。従って、所望のコンテンツを選択するために確認するコンテンツの数を減らすことができる。
【００５４】
（実施の形態７）
本実施の形態７のコンテンツ選択装置は、図１に示された実施の形態１のコンテンツ選択装置の構成部材と同様の構成部材を有する。本実施の形態７のコンテンツ選択方法は、図３に示された実施の形態１のコンテンツ選択方法に含まれている工程と同様の工程を有している。実施の形態１の構成要素と同様の構成をもつ構成要素には実施の形態１の符号と同一の符号を付す。
【００５５】
本実施の形態７では、選択リスト作成部１８１に選択リストを作成させる（工程Ｓ１００）際に、選択リスト作成部１８１は、非出力リストに基づいてコンテンツを選択する。本実施の形態７では、選択リスト作成部１８１は、非出力リストに載っているコンテンツが分類されているジャンルとは異なるジャンルに分類されるコンテンツを選択する。図９（Ａ）には、コンテンツ源１１０から取得することができるコンテンツの一例が示されている。各コンテンツには、そのコンテンツが分類されるジャンルを特定する情報が付されている。図９（Ｂ）には、非出力リストの一例が示されている。非出力リストに載っているコンテンツはスポーツに分類されているので、選択リスト作成部１８１は図９（Ａ）に示されたコンテンツからスポーツ以外に分類されているコンテンツを選択する。図９（Ｃ）には、このようにして作成された選択リストが示されている。
【００５６】
選択リストは非出力リストに基づいて作成される。これにより、非出力リストに載っているコンテンツと関連しないコンテンツを選択リストに載せることができる。この結果、ユーザが所望することが期待されるコンテンツだけが選択リストに載ることになる。従って、所望のコンテンツを選択するために確認するコンテンツの数を減らすことができる。
【００５７】
（実施の形態８）
図１０には、本実施の形態８の番組選択装置が示されている。番組選択装置は、テレビジョン放送局８１０から放送される複数のテレビ番組から、ユーザが所望するテレビ番組を選択する。
【００５８】
番組選択装置は、テレビジョン放送局８１０から放送されたテレビ番組の映像が入力される入力手段８２０と、番組選択装置が選択したテレビ番組の映像を表示する表示手段８４０とに接続されている。入力手段８２０は１つのテレビチューナを含んでいる。表示手段８４０は液晶ディスプレイ又はプラズマディスプレイ等を含んでいる。入力手段８２０は、テレビ番組の映像の表示を制御する表示制御部８３０を介して表示手段８４０に接続されている。
【００５９】
入力手段８２０には、入力手段８２０へ映像が入力されたテレビ番組から所定の条件に基づいて少なくとも１つのテレビ番組を選択する選択リスト作成部８８１が接続されている。選択リスト作成部８８１は、この選択されたテレビ番組の選択リストを作成する。入力手段８２０は電子番組表ＥＰＧ（Ｅｌｅｃｔｒｉｃ  Ｐｒｏｇｒａｍ  Ｇｕｉｄｅ）を取得するための手段を含んでいる。選択リスト作成部８８１は取得された電子番組表からテレビ番組を選択する。選択リストは記憶部８８０に記憶される。図１１（Ａ）には、選択リストの一例が示されている。示された選択リストには、テレビ番組を特定するためのＩＤ番号及びテレビ番組名が載っている。ＩＤ番号の代わりに、チャンネル番号を載せてもよい。また、テレビ番組名の代わりに、テレビ番組の開始時刻と終了時刻を載せてもよい。チャンネル番号、開始時刻及び終了時刻を用いても番組を特定することができる。選択リストに載っているテレビ番組が終了したときに、選択リスト作成部８８１は新たに選択リストを作成する。新たなテレビ番組が開始されるときにも、選択リスト作成部８８１は新たに選択リストを作成する。新たに作成された選択リストは、既に記憶されている選択リストと置き換えられる。
【００６０】
記憶部８８０には、所定のテレビ番組が載る非表示リストがさらに記憶される。記憶部８８０は、非表示リストを記憶する非表示リスト記憶部を含んでいる。非表示リストには、ユーザが所望しないテレビ番組が載る。図１１（Ｂ）には、非表示リストの一例が示されている。記憶部８８０には、非表示リストを編集する非表示リスト編集部８８２が接続されている。
【００６１】
記憶部８８０には、入力手段８２０へ映像が入力される複数のテレビ番組からテレビ番組を選択する選択部８６０が接続されている。選択部８６０は、選択リストから所定のテレビ番組を選択する。選択部８６０と記憶部８８０には、選択部８６０により選択されたテレビ番組が所定の条件を満たすものであるか否かを判定する判定部８５０が接続されている。本実施の形態８では、判定部８５０は、選択されたテレビ番組が非表示リストに載っているか否かを判定する。判定部８５０の判定結果は表示制御部８３０に渡される。表示制御部８３０は、判定結果に基づいてテレビ番組の映像の表示を制御する。表示制御部８３０は、非表示リストに載っていないと判定された場合（所定の条件を満たすものでないと判定された場合）には、選択部８６０の選択を有効として、選択されたテレビ番組の映像を表示手段８４０から表示させる制御を行う。非表示リストに載っていると判定された場合（所定の条件を満たすものであると判定された場合）には、選択部８６０の選択を無効として、選択されたテレビ番組の映像を表示手段８４０から表示させない制御を行う。
【００６２】
非表示リスト編集部８８２には、ユーザにより操作される操作部８７０が接続されている。操作部８７０に所定の操作がなされたとき、非表示リスト編集部８８２は非表示リストを編集する。本実施の形態８では、所定の操作（追加操作）がなされたとき、非表示リスト編集部８８２は非表示リストに所定のテレビ番組を追加する。追加操作は、ユーザが所望しないテレビ番組を非表示リストに追加するための操作である。
【００６３】
操作部８７０は選択部８６０にも接続されている。操作部８７０に別の操作（選択操作）がなされたとき、選択部８６０は所定のテレビ番組を選択する。選択操作が行われる毎に、判定部８５０による判定と、表示制御部８３０によるテレビ番組の映像の表示制御とがなされる。ユーザは、所望しないテレビ番組の映像が表示手段８４０から表示された場合には、追加操作を行う。操作部８７０に、追加操作及び選択操作とは異なる別の操作（終了操作）がなされたとき、番組選択装置によるテレビ番組の選択が終了する。
【００６４】
操作部８７０は、ユーザにより追加操作がなされる編集操作部と、ユーザにより選択操作がなされる選択操作部とを兼ねている。操作部８７０は、リモートコントローラと、リモートコントローラと通信を行う通信器とを有している。通信器は非表示リスト編集部８８２と選択部８６０に接続されている。図１２には、リモートコントローラの一例が示されている。リモートコントローラ８７０Ａは、押下される３つのボタン、即ち選択操作のための選択ボタン８７１、追加操作のための追加ボタン８７２及び終了操作のための終了ボタン８７３を有している。
【００６５】
図１３には、リモートコントローラの別の例が示されている。リモートコントローラ８７０Ｂは、２つの方向ＤＡ，ＤＢに振られる。方向ＤＡに振る操作が追加操作であり、方向ＤＢに振る操作が選択操作である。リモートコントローラ８７０Ｂは終了操作のための終了ボタン８７３を有している。
【００６６】
図１４を参照して、番組選択装置を使用してテレビ番組を選択する番組選択方法の一例を説明する。先ず、選択リストと非表示リストを用意する（工程Ｓ８００）。本実施の形態８では図１１（Ａ）及び図１１（Ｂ）に示された選択リスト及び非表示リストをそれぞれ用意する。選択リスト作成部８８１に選択リストを作成させ、作成した選択リストを記憶部８８０に記憶させる。非表示リストは予め記憶部８８０に記憶されている。操作部８７０が選択操作を検知する（工程Ｓ８１０）と、選択部８６０が選択リストから所定のテレビ番組を選択する（選択工程Ｓ８２０）。本実施の形態８では、最小のＩＤ番号０５０１が付されたテレビ番組（以下、「テレビ番組Ａ」という）を選択する。
【００６７】
選択後、判定部８５０が、選択されたテレビ番組Ａが非表示リストに載っているか否かを判定する（判定工程Ｓ８３０）。判定工程Ｓ８３０にて載っていないと判定された場合には、表示制御部８３０が、選択工程Ｓ８２０での選択を有効として、選択されたテレビ番組Ａの映像を表示手段８４０から表示させる制御を行う（表示工程Ｓ８４０）。非表示リスト（図１１（Ｂ）参照）にはテレビ番組Ａが載っていないので、テレビ番組Ａの映像は表示手段８４０から表示される。判定工程Ｓ８３０にて載っていると判定された場合には、選択工程Ｓ８２０での選択を無効として、選択工程Ｓ８２０にて選択されたテレビ番組の映像を表示手段８４０から表示させない。この場合、再び選択部８６０が選択工程Ｓ８２０を行う。選択部８６０は、選択工程Ｓ８２０を行う度に選択リストから１つのテレビ番組を選択する。テレビ番組はＩＤ番号順に選択される（図２（Ａ）参照）。選択部８６０は、ＩＤ番号０５０２が付されたテレビ番組を選択する。
【００６８】
表示工程Ｓ８４０の後、操作部８７０が追加操作、選択操作及び終了操作のいずれかを検知する（工程Ｓ８５０）と、操作部８７０は、なされた操作に応じて次の工程を決定する。ユーザは表示手段８４０から表示されたテレビ番組の映像を確認して、いずれかの操作を行う。ユーザが、映像が表示されたテレビ番組を所望しない場合には、ユーザは追加操作を行う。操作部８７０が追加操作を検知すると、操作部８７０は検知結果を非表示リスト編集部８８２に渡す。非表示リスト編集部８８２は、ユーザが所望しないテレビ番組、即ち選択工程Ｓ８２０にて選択されたテレビ番組を非表示リストに追加する（非表示リスト編集工程Ｓ８６０）。追加後、選択部８６０が再び選択工程Ｓ８２０を行う。ユーザが、映像が表示されたテレビ番組を所望する場合には、ユーザは選択操作を行う。操作部８７０が選択操作を検知すると、選択部８６０が再び選択工程Ｓ８２０を行う。操作部８７０が終了操作を検知すると、番組選択装置がテレビ番組の選択を終了する。工程Ｓ８５０にて操作部８７０が選択操作を検知すると、選択工程Ｓ８２０にて、ＩＤ番号０５０２が付されたテレビ番組を選択する。
【００６９】
工程Ｓ８５０にて終了操作が検知されるまで選択工程Ｓ８２０が繰り返される（１巡目）。ユーザは表示手段８４０にて次々に表示されるテレビ番組の映像を確認することができる。いわゆるザッピングを行うことができる。選択工程Ｓ８２０が繰り返され、選択リストに載っている全てのテレビ番組が選択された場合には、最小のＩＤ番号０５０１が付されたテレビ番組Ａが再び選択される。その後、テレビ番組はＩＤ番号順に選択される（２巡目）。２巡目では、ユーザが所望しないテレビ番組の映像は表示手段８４０から表示されない。このため、ユーザは所望するテレビ番組だけを確認することができるので、効率的にテレビ番組を選択することができる。
【００７０】
２巡目にてテレビ番組が選択される順番を変えてもよい。例えば、１巡目にて表示手段８４０から表示されていた時間が長い順に、２巡目でテレビ番組を選択してもよい。表示工程Ｓ８４０と工程Ｓ８５０の間で、ユーザは表示手段８４０から表示されているテレビ番組が所望するものであるか否か判断する。表示されている時間が長いと、その表示されているテレビ番組がより所望されていることが期待される。表示されていた時間が長い順にテレビ番組が選択されれば、所望されていることが期待される順にテレビ番組が選択されることになる。
【００７１】
ユーザが次々に表示されるテレビ番組の映像を確認するために、入力手段８２０に含まれているテレビチューナが次々にチャンネルを切り替える。本実施の形態８の番組選択装置では、１つのテレビチューナが利用されている。上述の特許文献１に開示されている番組表示装置には複数のチューナが必要である。このような番組表示装置と比較して、本実施の形態８の番組選択装置は、安価である。
【００７２】
上述の特許文献１に開示されている番組表示装置は複数の番組の映像及び静止画像を同時に表示するために、映像及び静止画像は縮小される。これに対して、本実施の形態８の番組選択装置では、表示手段８４０の画面全体に亘って映像を表示することができる。このため、映像を確認することが容易になるので、効率的に番組を選択することができる。
【００７３】
（実施の形態９）
本実施の形態９の番組選択装置は、図１０に示された実施の形態８の番組選択装置の構成部材と同様の構成部材を有する。本実施の形態９の番組選択装置を使用してテレビ番組を選択する番組選択方法の一例は、図１４に示された番組選択方法に含まれている工程と同様の工程を有している。図１０及び図１４に示された構成要素と同様の構成をもつ構成要素には、図１０及び図１４の符号と同一の符号を付す。
【００７４】
図１５には、本実施の形態９の番組選択装置を使用してテレビ番組を選択する番組選択方法の一例が示されている。この番組選択方法は、図１４に示された番組選択方法の非表示リスト編集工程Ｓ８６０の代わりに別の非表示リスト編集工程Ｓ９６０を有している。工程Ｓ８５０にて操作部８７０が追加操作を検知すると、先に選択工程Ｓ８２０にて選択されたテレビ番組が分類されているジャンルと同一のジャンルに分類されるテレビ番組を非表示リストに非表示リスト編集部８８２が追加する（非表示リスト編集工程Ｓ９６０）。
【００７５】
各テレビ番組には、ＩＤ番号とともに、そのテレビ番組が分類されるジャンルを特定する情報が付されている。図１６（Ａ）には、非表示リスト編集工程Ｓ９６０の前に記憶部８８０に記憶されている非表示リストの一例が示されている。図１６（Ｂ）には、非表示リスト編集工程Ｓ９６０に先だって選択工程Ｓ８２０にて選択されたテレビ番組が示されている。選択されたテレビ番組はスポーツに分類されているので、非表示リスト編集部８８２は、スポーツに分類されているテレビ番組を非表示リストに追加する。図１６（Ｃ）には、非表示リスト編集工程Ｓ９６０の後の非表示リストが示されている。追加されるテレビ番組は選択リストから選択される。追加されるテレビ番組は、入力手段８２０により取得された電子番組表から選択されてもよい。
【００７６】
ユーザは、表示手段８４０にて次々に表示されるテレビ番組の映像を確認する。確認したテレビ番組の映像が、ユーザが所望しないものであると、ユーザは追加操作を行う。このとき、所望しないテレビ番組が分類されているジャンルと同一のジャンルに分類されるテレビ番組が非表示リストに追加される。これにより、一回の追加操作で、ユーザが所望しないことが期待される複数のテレビ番組を非表示リストに追加することができる。従って、所望のテレビ番組を選択するためにユーザが行う操作の回数を減らすことができる。
【００７７】
（実施の形態１０）
本実施の形態１０の番組選択装置は、図１０に示された実施の形態８の番組選択装置の構成部材と同様の構成部材を有する。本実施の形態１０の番組選択装置を使用してテレビ番組を選択する番組選択方法の一例は、図１４に示された番組選択方法に含まれている工程と同様の工程を有している。図１０及び図１４に示された構成要素と同様の構成をもつ構成要素には、図１０及び図１４の符号と同一の符号を付す。
【００７８】
本実施の形態１０の番組選択装置の非表示リスト編集部８８２は、所定のジャンルに分類されるテレビ番組が非表示リストに載らないように非表示リストを編集する。各テレビ番組には、ＩＤ番号とともに、そのテレビ番組が分類されるジャンルを特定する情報が付されている。図１７には、本実施の形態１０の番組選択装置を使用してテレビ番組を選択する番組選択方法の一例が示されている。この番組選択方法は、工程Ｓ１０６１をさらに有している。工程Ｓ８５０にて操作部８７０が追加操作を検知すると、非表示リスト編集部８８２は、選択工程Ｓ８２０にて選択されたテレビ番組が所定のジャンル、例えばバラエティに分類されているか否かを判定する（工程Ｓ１０６１）。
【００７９】
所定のジャンルに分類されていないと判定された場合には、選択されたテレビ番組を非表示リストに追加する（非表示リスト編集工程Ｓ８６０）。追加後、選択部８６０が再び選択工程Ｓ８２０を行う。所定のジャンルに分類されていると判定された場合には、追加せずに、選択部８６０が再び選択工程Ｓ８２０を行う。
【００８０】
ユーザは、表示手段８４０にて次々に映像が表示されるテレビ番組を確認する。確認したテレビ番組が、ユーザが所望しないものであると、ユーザは追加操作を行う。特定のジャンルに分類されたテレビ番組は、複数のコーナーを有することがある。例えば芸能コーナー、スポーツコーナー及び天気コーナーを有するバラエティ番組がユーザにより確認されることがある。ここで、ユーザは芸能コーナーを所望せず、スポーツコーナーを所望するものとする。ユーザがバラエティ番組を確認するとき、芸能コーナーの映像が表示されると、ユーザは芸能コーナーを所望しないので、追加操作を行う。工程Ｓ１０６１にて、ユーザが確認したテレビ番組がバラエティに分類されているか否かが判定される。ユーザが確認したテレビ番組はバラエティに分類されているので、このテレビ番組は非表示リストに追加されない。このため、ユーザはこのテレビ番組を再度確認することができる。即ち、所望するスポーツコーナーを有するテレビ番組を再度確認することができる。本実施の形態１０では、所望するコーナーを含んでいるテレビ番組を非表示リストに追加することがない。
【００８１】
（実施の形態１１）
本実施の形態１１の番組選択装置は、図１０に示された実施の形態８の番組選択装置の構成部材と同様の構成部材を有する。実施の形態８の構成要素と同様の構成をもつ構成要素には、実施の形態８の符号と同一の符号を付す。
【００８２】
図１８に示すように、本実施の形態１１の番組選択装置は、録画手段１１１０をさらに有している。録画手段１１１０は、テレビ番組の映像を録画する録画装置を含んでいる。録画手段１１１０は非表示リスト編集部８８２に接続されている。非表示リスト編集部８８２は、録画手段１１１０が録画するテレビ番組を非表示リストに追加する。これにより、所望のテレビ番組を選択するために確認するテレビ番組の数を減らすことができる。
【００８３】
（実施の形態１２）
本実施の形態１２のチャンネル選択装置は、図１０に示された実施の形態８の番組選択装置の構成部材と同様の構成部材を有する。実施の形態８の構成要素と同様の構成をもつ構成要素には、実施の形態８の符号と同一の符号を付す。テレビジョン放送局８１０は、複数のチャンネルで複数のテレビ番組をそれぞれ放送している。チャンネル選択装置は、複数のチャンネルから、ユーザが所望するチャンネルを選択する。
【００８４】
チャンネル選択装置は、テレビジョン放送局８１０からチャンネル毎に放送されたテレビ番組の映像が入力される入力手段８２０と、チャンネル選択装置が選択したチャンネルにて放送されたテレビ番組の映像（以下、「チャンネルにて放送されたテレビ番組の映像」を「チャンネルのチャンネル映像」という）を表示する表示手段８４０とに接続されている。入力手段８２０はテレビチューナを含んでいる。表示手段８４０は液晶ディスプレイ又はプラズマディスプレイ等を含んでいる。入力手段８２０は、チャンネル映像の表示を制御する表示制御部８３０を介して表示手段８４０に接続されている。
【００８５】
入力手段８２０には、入力手段８２０のテレビチューナが受信可能な複数のチャンネルから所定の条件に基づいて少なくとも１つのチャンネルを選択する選択リスト作成部８８１が接続されている。選択リスト作成部８８１は、この選択されたチャンネルの選択リストを作成する。選択リストは記憶部８８０に記憶される。各チャンネルにはチャンネル番号が付されている。図１９（Ａ）には、選択リストの一例が示されている。選択リストにはチャンネル番号が載る。
【００８６】
記憶部８８０には、所定のチャンネルが載る非表示リストがさらに記憶される。記憶部８８０は、非表示リストを記憶する非表示リスト記憶部を含んでいる。非表示リストには、ユーザが所望しないチャンネルが載る。図１９（Ｂ）には、非表示リストの一例が示されている。記憶部８８０には、非表示リストを編集する非表示リスト編集部８８２が接続されている。
【００８７】
記憶部８８０には、入力手段８２０のテレビチューナが受信可能な複数のチャンネルからチャンネルを選択する選択部８６０が接続されている。選択部８６０は、選択リストから所定のチャンネルを選択する。選択部８６０と記憶部８８０には、選択部８６０により選択されたチャンネルが所定の条件を満たすものであるか否かを判定する判定部８５０が接続されている。本実施の形態１２では、判定部８５０は、選択されたチャンネルが非表示リストに載っているか否かを判定する。判定部８５０の判定結果は表示制御部８３０に渡される。表示制御部８３０は、判定結果に基づいてチャンネル映像の表示を制御する。表示制御部８３０は、非表示リストに載っていないと判定された場合（所定の条件を満たすものでないと判定された場合）には、選択部８６０の選択を有効として、選択されたチャンネルのチャンネル映像を表示手段８４０から表示させる制御を行う。非表示リストに載っていると判定された場合（所定の条件を満たすものであると判定された場合）には、選択部８６０の選択を無効として、選択されたチャンネルのチャンネル映像を表示手段８４０から表示させない制御を行う。
【００８８】
非表示リスト編集部８８２には、ユーザにより操作される操作部８７０が接続されている。操作部８７０に所定の操作がなされたとき、非表示リスト編集部８８２は非表示リストを編集する。本実施の形態１２では、所定の操作（追加操作）がなされたとき、非表示リスト編集部８８２は非表示リストに所定のチャンネルを追加する。追加操作は、ユーザが所望しないチャンネルを非表示リストに追加するための操作である。
【００８９】
操作部８７０は選択部８６０にも接続されている。操作部８７０に別の操作（選択操作）がなされたとき、選択部８６０は所定のチャンネルを選択する。選択操作が行われる毎に、判定部８５０による判定と、表示制御部８３０によるチャンネル映像の表示制御とがなされる。ユーザは、所望しないチャンネル映像が表示手段８４０から表示された場合には、追加操作を行う。操作部８７０に、追加操作及び選択操作とは異なる別の操作（終了操作）がなされたとき、チャンネル選択装置によるチャンネルの選択が終了する。
【００９０】
操作部８７０は、ユーザにより追加操作がなされる編集操作部と、ユーザにより選択操作がなされる選択操作部とを兼ねている。操作部８７０は、リモートコントローラと、リモートコントローラと通信を行う通信器とを有している。通信器は非表示リスト編集部８８２と選択部８６０に接続されている。リモートコントローラに選択操作をなす際に、２種類の選択操作が可能である。一方の種類の操作がなされたときには、選択部８６０はより大きなチャンネル番号が付されたチャンネルを選択する。他方の種類の操作がなされたときには、選択部８６０はより小さなチャンネル番号が付されたチャンネルを選択する。
【００９１】
図２０には、リモートコントローラの一例が示されている。リモートコントローラ１２７０Ａは、２種類の選択操作がなされる、押下される２つの選択ボタン１２７１ａ，１２７１ｂを有している。選択ボタン１２７１ａが押下されたときには、より小さなチャンネル番号が付されたチャンネルが選択される。選択ボタン１２７１ｂが押下されたときには、より大きなチャンネル番号が付されたチャンネルが選択される。終了操作のために、リモートコントローラ１２７０Ａは終了ボタン１２７３を有している。
【００９２】
図２１には、リモートコントローラの別の例が示されている。リモートコントローラ１２７０Ｂは、４つの方向ＤＡ１，ＤＡ２，ＤＢ１，ＤＢ２に振られる。方向ＤＡ１と方向ＤＡ２は互いに反対の方向であり、方向ＤＢ１と方向ＤＢ２は互いに反対の方向である。選択操作のために、リモートコントローラ１２７０Ｂは２方向ＤＢ１，ＤＢ２に振られる。方向ＤＡ１又は方向ＤＡ２に振る操作が追加操作である。リモートコントローラ１２７０Ｂは終了操作のための終了ボタン１２７３を有している。
【００９３】
図２２を参照して、チャンネル選択装置を使用してチャンネルを選択するチャンネル選択方法の一例を説明する。先ず、選択リストと非表示リストを用意する（工程Ｓ１２００）。本実施の形態１２では図１９（Ａ）及び図１９（Ｂ）に示された選択リスト及び非表示リストをそれぞれ用意する。選択リスト作成部８８１に選択リストを作成させ、作成した選択リストを記憶部８８０に記憶させる。非表示リストは予め記憶部８８０に記憶されている。
【００９４】
操作部８７０が２種類の選択操作のいずれかを検知する（工程Ｓ１２１０）と、選択部８６０が選択リストから所定のチャンネルを選択する（選択工程Ｓ１２２０）。例えば、予め決められていたチャンネルを選択する。本実施の形態１２では、チャンネル番号９が付されたチャンネルを選択する。操作部８７０は、図２０に示されたリモートコントローラ１２７０Ａを有しているものとし、工程Ｓ１２１０ではボタン１２７１ａが押下されたとする。選択部８６０は、操作部８７０になされた選択操作がいずれの種類であったかを記憶する。新たな選択操作が操作部８７０になされたときには、新たに記憶し直す。選択部８６０には、ボタン１２７１ａが押下されたことが記憶されている。２回目以降に行われる選択工程Ｓ１２２０では、選択部８６０は選択操作の記憶に基づいてチャンネルを選択する。
【００９５】
選択工程Ｓ１２２０の後、判定部８５０が、選択されたチャンネルが非表示リストに載っているか否かを判定する（判定工程Ｓ１２３０）。判定工程Ｓ１２３０にて載っていないと判定された場合には、表示制御部８３０が、選択工程Ｓ１２２０での選択を有効として、選択されたチャンネルのチャンネル映像を表示手段８４０から表示させる制御を行う（表示工程Ｓ１２４０）。非表示リスト（図１９（Ｂ）参照）には選択されたチャンネルのチャンネル番号９が載っていないので、選択されたチャンネルのチャンネル映像は表示手段８４０から表示される。判定工程Ｓ１２３０にて載っていると判定された場合には、選択工程Ｓ１２２０での選択を無効として、選択工程Ｓ１２２０にて選択されたチャンネルのチャンネル映像を表示手段８４０から表示させない制御を行う。この場合、再び選択部８６０が選択工程Ｓ１２２０を行う。選択部８６０は、ボタン１２７１ａが押下されたことを記憶しているので、より小さなチャンネル番号８が付されたチャンネルが選択される。
【００９６】
表示工程Ｓ１２４０の後、操作部８７０が追加操作、選択操作及び終了操作のいずれかを検知する（工程Ｓ１２５０）と、操作部８７０は、なされた操作に応じて次の工程を決定する。ユーザは表示手段８４０から表示されたチャンネル映像を確認して、いずれかの操作を行う。ユーザが、表示されたチャンネル映像を所望しない場合には、ユーザは追加操作を行う。操作部８７０が追加操作を検知すると、操作部８７０は検知結果を非表示リスト編集部８８２に渡す。非表示リスト編集部８８２は、選択工程Ｓ１２２０にて選択されたチャンネルを非表示リストに追加する（非表示リスト編集工程Ｓ１２６０）。追加後、選択部８６０が再び選択工程Ｓ１２２０を行う。選択部８６０は、ボタン１２７１ａが押下されたことを記憶しているので、より小さなチャンネル番号８が付されたチャンネルが選択される。
【００９７】
ユーザが、表示されたチャンネル映像を所望する場合には、ユーザは選択操作を行う。操作部８７０が選択操作を検知すると、選択部８６０が再び選択工程Ｓ１２２０を行う。操作部８７０が終了操作を検知すると、チャンネル選択装置がチャンネルの選択を終了する。工程Ｓ１２５０にて、操作部８７０がボタン１２７１ｂの押下を検知すると、選択部８６０は、ボタン１２７１ｂが押下されたことを新たに記憶する。続く選択工程Ｓ１２２０にて、選択部８６０は、より大きなチャンネル番号１０が付されたチャンネルを選択する。非表示リストには、チャンネル番号１０が付されたチャンネルが載っているので、選択工程Ｓ１２２０を行う。このとき、選択部８６０は、ボタン１２７１ｂが押下されたことを記憶しているので、より大きなチャンネル番号１１が付されたチャンネルが選択される。
【００９８】
表示制御部８３０は、選択部８６０が選択する対象とする複数のチャンネルのチャンネル番号（即ち、選択リストに載っているチャンネルのチャンネル番号）と、表示手段８４０にて映像が表示されているテレビ番組が放送されているチャンネルのチャンネル番号と、非表示リストに載っているチャンネルのチャンネル番号との少なくとも１つを表示手段８４０にて表示させる制御を行うことができる。図２３には、表示手段８４０による表示の一例が示されている。選択リストにはチャンネル番号１，３，４，５，６，７，８，９，１０，１１，１２がそれぞれ付されたチャンネルが載っている（図１９（Ａ）参照）。これらのチャンネル番号が表示手段８４０にて表示されている。非表示リストにはチャンネル番号７，１０がそれぞれ付されたチャンネルが載っている（図１９（Ｂ）参照）。図２３に示されているように、これらのチャンネル番号の表示が他のチャンネル番号の表示とは異なっている。図２３の表示の例では、表示手段８４０にて映像が表示されているテレビ番組は、チャンネル番号４が付されたチャンネルにて放送されている。チャンネル番号４の表示は他のチャンネル番号の表示とは異なっている。表示手段８４０には、チャンネル選択装置がチャンネルを選択中であることを示す画像が表示されている。
【００９９】
２種類の選択操作が可能な操作部８７０を用いることにより、ユーザは、選択リストに載っているチャンネルを昇順又は降順で確認しながら、確認したチャンネルを非表示リストに追加することができる。非表示リストに追加されたチャンネルのチャンネル映像は表示されない。このため、ユーザは所望するチャンネル映像だけを確認することができるので、効率的にチャンネルを選択することができる。
【０１００】
図２０に示された２種類の選択操作が可能なリモートコントローラ１２７０Ａの代わりに、図２４に示されているような、任意のチャンネルを選択可能なリモートコントローラ１２７０Ｃを用いることができる。リモートコントローラ１２７０Ｃは、選択リストに載り得るチャンネルと同数か、それ以上の数のボタンからなる選択ボタン群１２７１を有している。ボタンには、チャンネル番号がそれぞれ描かれている。
【０１０１】
リモートコントローラ１２７０Ｃを用いる場合には、図４に示されたコンテンツ選択方法と同様の方法で所望のチャンネルを選択する。この方法で所望のチャンネルを選択すれば、一度非表示リストに追加したチャンネルを非表示リストから削除することができる。ユーザが間違って非表示リストにチャンネルを追加しても、そのチャンネルを削除することができる。リモートコントローラ１２７０Ｃは、チャンネルを非表示リストから削除するための削除ボタン１２７４を有する。
【０１０２】
非表示リスト編集部８８２は、非表示リストから所定のチャンネルを予め決められた時刻に削除することができる。例えば、非表示リストに載っているチャンネルにてあるテレビ番組が放送されている場合に、そのテレビ番組の終了時刻にチャンネルを非表示リストから削除することができる。切りのよい時刻、例えば１０：００、１０：３０又は１１：００にチャンネルを非表示リストから削除することもできる。
【０１０３】
図１に示された、実施の形態１乃至７のコンテンツ選択装置は、出力制御部１３０、判定部１５０、選択部１６０、選択リスト作成部１８１及び非出力リスト編集部１８２の少なくとも１つを含んでいる専用回路を有している。コンテンツ選択装置は、専用回路の代わりに、汎用プロセッサと所定のプログラム及びデータを記憶するメモリとを有していてもよい。専用回路は、ＩＣ、例えばシステムＬＳＩ、スーパーＬＳＩ又はウルトラＬＳＩを有している。これにより、これらの構成部材を集積することができる。専用回路は、実装後にプログラミングすることが可能なＦＰＧＡ（Ｆｉｅｌｄ  Ｐｒｏｇｒａｍｍａｂｌｅ  Ｇａｔｅ  Ａｒｒａｙ）又は、リコンフィギュラブル・プロセッサ（プロセッサに設けられた回路セルの接続と設定とを変更可能なプロセッサ）を有していてもよい。構成部材を集積するために、近年開発が進んでいるバイオ技術を利用したデバイス、例えばＤＮＡコンピュータに用いられるデバイスを用いてもよい。実施の形態８乃至１１の番組選択装置の構成部材、又は実施の形態１２のチャンネル選択装置の構成部材もまた同様に集積することができる。
【産業上の利用可能性】
【０１０４】
本発明に係るコンテンツ選択装置及びコンテンツ選択方法は、インターネットを介して配信されるコンテンツ、放送されるテレビ番組及びラジオ番組、並びに記録手段に記録されている映像及び音声などから所望するものを選択する装置及び方法にそれぞれ有用である。本発明に係る番組選択装置は、放送されるテレビ番組から所望する番組を選択する装置、例えばテレビ受像器、又はテレビチューナを有するパーソナルコンピュータなどに有用である。本発明に係るチャンネル選択装置は、テレビ番組が放送されるチャンネルから所望のチャンネルを選択する装置、例えばテレビ受像器、又はテレビチューナを有するパーソナルコンピュータなどに有用である。
【図面の簡単な説明】
【０１０５】
【図１】本発明の実施の形態１に係るコンテンツ選択装置のブロック図
【図２】（Ａ）は、本発明の実施の形態１における選択リストの一例を示す表、（Ｂ）は、本発明の実施の形態１における非出力リストの一例を示す表
【図３】本発明の実施の形態１に係るコンテンツ選択方法のフローチャート
【図４】本発明の実施の形態２に係るコンテンツ選択方法のフローチャート
【図５】本発明の実施の形態３に係るコンテンツ選択方法のフローチャート
【図６】本発明の実施の形態４に係るコンテンツ選択方法のフローチャート
【図７】（Ａ）は、本発明の実施の形態５においてコンテンツ源から取得することができるコンテンツの一例を示す表、（Ｂ）は、本発明の実施の形態５において選択リストを作成する前に出力されているコンテンツの一例を示す表、（Ｃ）は、本発明の実施の形態５における選択リストの一例を示す表
【図８】（Ａ）は、本発明の実施の形態６においてコンテンツ源から取得することができるコンテンツの一例を示す表、（Ｂ）は、本発明の実施の形態６において選択リストを作成する前に出力されているコンテンツの一例を示す表、（Ｃ）は、本発明の実施の形態６における選択リストの一例を示す表
【図９】（Ａ）は、本発明の実施の形態７においてコンテンツ源から取得することができるコンテンツの一例を示す表、（Ｂ）は、本発明の実施の形態７における非出力リストの一例を示す表、（Ｃ）は、本発明の実施の形態７における選択リストの一例を示す表
【図１０】本発明の実施の形態８に係る番組選択装置のブロック図
【図１１】（Ａ）は、本発明の実施の形態８における選択リストの一例を示す表、（Ｂ）は、本発明の実施の形態８における非表示リストの一例を示す表
【図１２】本発明の実施の形態８におけるリモートコントローラの一例を示す斜視図
【図１３】本発明の実施の形態８におけるリモートコントローラの別の例を示す斜視図
【図１４】本発明の実施の形態８における番組選択方法の一例を示すフローチャート
【図１５】本発明の実施の形態９における番組選択方法の一例を示すフローチャート
【図１６】（Ａ）は、本発明の実施の形態９における編集前の非表示リストの一例を示す表、（Ｂ）は、本発明の実施の形態９において選択工程にて選択されたテレビ番組の一例を示す表、（Ｃ）は、本発明の実施の形態９における編集後の非表示リストの一例を示す表
【図１７】本発明の実施の形態１０における番組選択方法の一例を示すフローチャート
【図１８】本発明の実施の形態１１に係る番組選択装置のブロック図
【図１９】（Ａ）は、本発明の実施の形態１２における選択リストの一例を示す表、（Ｂ）は、本発明の実施の形態１２における非表示リストの一例を示す表
【図２０】本発明の実施の形態１２におけるリモートコントローラの一例を示す斜視図
【図２１】本発明の実施の形態１２におけるリモートコントローラの別の例を示す斜視図
【図２２】本発明の実施の形態１２におけるチャンネル選択方法の一例を示すフローチャート
【図２３】本発明の実施の形態１２における表示手段による表示の一例を示す図
【図２４】本発明の実施の形態１２におけるリモートコントローラのさらに別の例を示す斜視図
【符号の説明】
【０１０６】
１１０  コンテンツ源
１２０  入力手段
１３０  出力制御部
１４０  出力手段
１５０  判定部
１６０  選択部
１７０  操作部（編集操作部）
１８０  記憶部（非出力リスト記憶部）
１８１  選択リスト作成部
１８２  非出力リスト編集部
８１０  テレビジョン放送局
８２０  入力手段
８３０  表示制御部
８４０  表示手段
８５０  判定部
８６０  選択部
８７０  操作部（編集操作部、選択操作部）
８８０  記憶部（非表示リスト記憶部）
８８１  選択リスト作成部
８８２  非出力リスト編集部
１１１０  録画手段
Ｓ１２０、Ｓ２２０、Ｓ８２０  選択工程
Ｓ１３０、Ｓ８３０、Ｓ１２３０  判定工程
Ｓ１４０  出力工程
Ｓ８４０、Ｓ１２４０  表示工程
【図１】
2010062653.tif 000003
【図２】
2010062653.tif 000004
【図３】
2010062653.tif 000005
【図４】
2010062653.tif 000006
【図５】
2010062653.tif 000007
【図６】
2010062653.tif 000008
【図７】
2010062653.tif 000009
【図８】
2010062653.tif 000010
【図９】
2010062653.tif 000011
【図１０】
2010062653.tif 000012
【図１１】
2010062653.tif 000013
【図１２】
2010062653.tif 000014
【図１３】
2010062653.tif 000015
【図１４】
2010062653.tif 000016
【図１５】
2010062653.tif 000017
【図１６】
2010062653.tif 000018
【図１７】
2010062653.tif 000019
【図１８】
2010062653.tif 000020
【図１９】
2010062653.tif 000021
【図２０】
2010062653.tif 000022
【図２１】
2010062653.tif 000023
【図２２】
2010062653.tif 000024
【図２３】
2010062653.tif 000025
【図２４】
2010062653.tif 000026